(57)【要約】【課題】  移動レンズが移動しても、マークが見やすいカメラ用ズームファインダを提供する。【解決手段】  移動レンズである変倍レンズ３７をマーク３９とマイクロレンズ４１との間に配置する。変倍レンズ３７のレンズ面のうち、マーク３９からマイクロレンズ４１へ向かう光の入射面及び出射面を、前記光の進行方向と垂直な平面３７ａ、３７ｂにて構成する。これにより、変倍レンズ３７が移動してもマーク３９の視度は一定に保たれるので、マーク３９を観察しやすい。【選択図】        図３
2006078690.tif 000002
【特許請求の範囲】
【請求項１】
撮影レンズのズーム動作に連動して、ファインダ光軸方向に移動レンズを移動させて、ファインダ倍率を変更するカメラ用ズームファインダにおいて、
前記移動レンズよりも対物側のファインダ光路中に配置されるマークと、前記移動レンズよりも接眼側のファインダ光路中に配置され、前記マークからの光を集光して、ファインダ画面内に前記マークを視認させるマイクロレンズとを設けるとともに、
前記移動レンズのレンズ面のうち、前記マークから前記マイクロレンズへ向かう光の入射面及び出射面を、前記光の進行方向と垂直な平面にて構成したことを特徴とするカメラ用ズームファインダ。
【請求項２】
前記マークを、対物レンズまたは対物窓に設け、前記マイクロレンズを、接眼レンズまたは接眼窓に設けたことを特徴とする請求項１記載のカメラ用ズームファインダ。
【請求項３】
撮影レンズのズーム動作に連動して、ファインダ光軸方向に移動レンズを移動させて、ファインダ倍率を変更するカメラ用ズームファインダにおいて、
前記移動レンズよりも接眼側に、外部光源から所定のマーク形状の光を採り入れて、ファインダ光路へ入射させる採光部と、前記採光部からの光を接眼側に反射させる反射部材と、前記反射部材からの光を集光し、前記マーク形状の光像をファインダ画面内に視認させるマイクロレンズとを設けたことを特徴とするカメラ用ズームファインダ。
【請求項４】
前記反射部材及び前記マイクロレンズを、接眼レンズまたは接眼窓に設けたことを特徴とする請求項３記載のカメラ用ズームファインダ。
【発明の詳細な説明】
【技術分野】
【０００１】
本発明は、ファインダ光軸方向に移動する移動レンズを備え、撮影ズームレンズ機構のズーム動作に連動して、前記移動レンズを移動させ、ファインダ倍率を変更するカメラ用ズームファインダに関するものである。
【背景技術】
【０００２】
カメラの多くは、光学式のファインダが搭載されている。そして、撮影者は、ファインダから観察される被写体像を観察しながらフレーミングを行い、撮影範囲を決定して撮影を行う。ファインダのなかには、ファインダ光軸方向に移動する移動レンズを備え、撮影ズームレンズ機構のズーム動作に連動して、移動レンズを移動させ、ファインダ倍率を変更するようにしたズームファインダがある。
【０００３】
また、下記特許文献１には、ファインダ光路内にマークを設け、このマークを接眼レンズや透明基盤上に形成した凸型のマイクロレンズを通して観察可能にしたカメラ用ファインダが記載されている。このファインダによれば、被写体像に重なるようにマークが観察されるので、マークを目安にフレーミングを行うことができる。
【特許文献１】特開平８−２４８４７９号公報
【発明の開示】
【発明が解決しようとする課題】
【０００４】
しかしながら、上記特許文献記載のファインダは、ズームファインダへの適用に関しての配慮がなされていない。このため、マークとマイクロレンズとの間に移動レンズを配置してしまうと、移動レンズの移動に伴ってマークの視度が変化し、マークが見づらくなってしまう。この問題は、移動レンズよりも接眼側にマークを設けることで回避することができるが、この場合、マークとマイクロレンズとの距離が近くなるので、ファインダ画面内にマークを視認させるためには、屈折力の高いマイクロレンズを用いる必要がある。しかし、このような屈折力の高いマイクロレンズは、製造公差が厳しく、コストがかかってしまう。
【０００５】
本発明は、コストの増加を抑えるとともに、移動レンズが移動しても、マークが見やすいカメラ用ズームファインダを提供することを目的としている。
【課題を解決するための手段】
【０００６】
上記目的を達成するために、本発明のカメラ用ズームファインダは、移動レンズよりも対物側のファインダ光路中に配置されるマークと、移動レンズよりも接眼側のファインダ光路中に配置され、前記マークからの光を集光して、ファインダ画面内に前記マークを視認させるマイクロレンズとを設けるとともに、移動レンズのレンズ面のうち、前記マークから前記マイクロレンズへ向かう光の入射面及び出射面を、前記光の進行方向と垂直な平面にて構成したことを特徴としている。前記マークを、対物レンズまたは対物窓に設け、前記マイクロレンズを、接眼レンズまたは接眼窓に設けることが好ましい。
【０００７】
また、本発明のカメラ用ズームファインダは、移動レンズよりも接眼側に、外部光源から所定のマーク形状の光を採り入れて、ファインダ光路へ入射させる採光部と、採光部からの光を接眼側に反射させる反射部材と、反射部材からの光を集光し、マーク形状の光像をファインダ画面内に視認させるマイクロレンズとを設けたことを特徴としている。前記反射部材及び前記マイクロレンズを、接眼レンズまたは接眼窓に設けることが好ましい。
【発明の効果】
【０００８】
本発明のカメラ用ズームファインダは、移動レンズをマークとマイクロレンズとの間に配置するとともに、移動レンズのレンズ面のうち、マークからマイクロレンズへ向かう光の入射面及び出射面を、前記光の進行方向と垂直な平面にて構成したので、移動レンズが移動してもマークの視度が変化せず、マークを観察しやすい。また、マークとマイクロレンズとの間隔を離すことができ、屈折力の高いマイクロレンズ用いる必要が無く、コストが高くなってしまうこともない。さらに、マークを対物レンズまたは対物窓に設け、マイクロレンズを接眼レンズまたは接眼窓に設けることによって、部品点数の増加を抑え、コストを安くすることができる。
【０００９】
また、本発明のカメラ用ズームファインダは、マーク形状の光をファインダ光路へ入射させる採光部と、このマーク形状の光を反射させ、集光してファインダ画面内にマーク形状の光像を視認させる反射部材及びマイクロレンズを、移動レンズよりも接眼側に設けたので、移動レンズが移動してもマーク形状の光像の視度が変化せず、観察しやすい。また、ファインダ光路内にマークを設ける場合と比較して、採光部とマイクロレンズとの光学的な距離を離すことが可能であり、屈折力の高いマイクロレンズ用いる必要が無く、コストが高くなってしまうこともない。さらに、反射部材及びマイクロレンズを接眼レンズまたは接眼窓に設けることによって、部品点数の増加を抑え、コストを安くすることができる。
【発明を実施するための最良の形態】
【００１０】
以下、本発明のズームファインダをズームカメラに搭載した場合の、実施例１、及び、実施例２についてそれそれ説明を行う。
【実施例１】
【００１１】
ズームカメラの前面側の外観図を図１（Ａ）に、背面側の外観図を同図（Ｂ）にそれぞれ示す。カメラ１１の側面には、写真フイルムを収納した写真フイルムカートリッジを挿脱するための蓋１３が設けられ、カメラ１１の背面側に軸着されている。カメラ１１の上面には、レリーズボタン１５が設けられ、押下によってシャッタ装置が駆動され、写真フイルムに画像が記録される。
【００１２】
カメラ１１は、撮影レンズ１７の焦点位置を段階的に変化させるステップ式のズーム機構を備えており、カメラ１１の中央部には、ズーム機構を成す鏡筒１９が設けられている。カメラ１１の背面には、ズームレバー２１が設けられ、このズームレバー２１の操作によって、撮影レンズ１７の焦点位置が段階的に変化され、ズーム倍率が変更される。
【００１３】
鏡筒１９のほぼ真上には、ファインダ３１が設けられ、カメラ１１の前面からはファインダ３１の対物レンズ３３が露呈し、カメラ１１の背面からは、ファインダ３１の接眼レンズ３５が露呈している。詳しくは後述するが、ファインダ３１は、移動レンズを備え、この移動レンズをファインダ光軸と平行に移動させ、ファインダ倍率を変更するズームファインダである。
【００１４】
図２に、ファインダ３１を構成する各レンズの斜視図を、図３に各レンズの断面図をそれぞれ示す。ファインダ３１には、ファインダ光軸上に被写体側から順に、対物レンズ３３、変倍レンズ３７、接眼レンズ３５が設けられている。これら各レンズ３３、３７、３５は、例えば、透明なプラスチックによって形成される。
【００１５】
対物レンズ３３と接眼レンズ３５は、凹レンズであり、カメラボディに固定される。一方、変倍レンズ３７は、ファインダ倍率を変倍する凸型の移動レンズであり、図示しないレンズ移動機構により、ファインダ光軸方向に移動自在に保持される。カメラ１１は、このレンズ移動機構の駆動制御を行い、変倍レンズ３７を移動させ、ファインダ倍率を変更する。ファインダ倍率は、撮影レンズ１７のズーム倍率に対応するように変更される。
【００１６】
対物レンズ３３の接眼側レンズ面のほぼ中央部には、突起により形成された円形のマーク３９が設けられている。マーク３９は、撮影範囲のほぼ中央部を示し、撮影者がフレーミングを行う際の目安として機能する。また、接眼レンズ３５の接眼側レンズ面のほぼ中央部にはマーク３９からの光を集光し、ファインダ画面内でマーク３９を視認可能とするために、凸型のマイクロレンズ４１が設けられている。マイクロレンズ４１は、マーク３９の視度を考慮して、その焦点がマーク３９に一致するように形成される。
【００１７】
変倍レンズ３７は、マーク３９とマイクロレンズ４１との間に配置されるため、ファインダ倍率の変更に伴い、変倍レンズ３７が移動されると、マーク３９の視度が変化し、マーク３９が見づらくなってしまう。このような問題を防止するために、変倍レンズ３７の対物側レンズ面、及び、接眼側レンズ面には、それぞれ平面３７ａ、３７ｂが設けられている。
【００１８】
平面３７ａは、マーク３９からマイクロレンズ４１へ向かう光の光入射面であり、変倍レンズ３７の対物側レンズ面のほぼ中央部に設けられる。平面３７ｂは、マーク３９からマイクロレンズ４１へ向かう光の光出射面であり、変倍レンズ３７の接眼側レンズ面のほぼ中央部に設けられる。また、平面３７ａ、３７ｂは、マーク３９からマイクロレンズ４１へ向かう光の進行方向に対して垂直に設けられる。これにより、マーク３９からマイクロレンズ４１へ向かう光は、屈折することなく、変倍レンズ３７を透過する。
【００１９】
以下、上記構成による本発明の実施例１の作用について説明する。カメラ１１の使用時に、撮影者は、ファインダ３１をのぞき込んでフレーミングを行い、撮影範囲を決定する。このとき、対物レンズ３３に設けたマーク３９からの光が、接眼レンズ３５に設けたマイクロレンズ４１によって集光され、ファインダ画面内には、被写体像とともにマーク３９が観察される。マイクロレンズ４１の焦点は、マーク３９に一致するように形成されているので、マーク３９が観察しやすい。マーク３９は撮影範囲の中央部分を示すものであり、撮影者はマーク３９を目安にして、フレーミングを行うことができる。
【００２０】
撮影者が被写体に応じてズームレバー２１を操作すると、撮影レンズ１７のズーム倍率が変更される。これに伴い、マーク３９とマイクロレンズ４１との間に配置された変倍レンズ３７が移動され、ファインダ倍率が変更される。このとき、変倍レンズ３７に設けた平面３７ａ、３７ｂにより、マーク３９からマイクロレンズ４１へ向かう光は屈折することなく、そのまま変倍レンズ３７を透過する。このため、マーク３９の視度は、ファインダ倍率の変更に関わらず一定に保たれる。
【００２１】
このように、ファインダ３１は、変倍レンズをマークとマイクロレンズとの間に配置するとともに、変倍レンズのレンズ面のうち、マークからマイクロレンズへ向かう光の入射面及び出射面を、前記光の進行方向と垂直な平面にて構成したので、変倍レンズが移動してもマークの視度は一定に保たれ、マークを観察しやすい。また、変倍レンズを挟んでマークとマイクロレンズを配置することにより、これらの間隔を離すことができる。このため、屈折力の高いマイクロレンズを用いる必要が無く、コストを抑えることができる。さらに、マークを対物レンズに設け、マイクロレンズを接眼レンズに設けたので、部品点数の増加を抑え、コストを安くすることができる。
【００２２】
なお、上記実施例１では、対物レンズにマークを設ける例で説明をしたが、対物レンズが移動レンズである場合がある。このような場合には、図４に示す、ファインダ５１のように、対物レンズ５３よりも対物側に透明な対物窓５５を設け、この対物窓５５にマーク３９を形成する。また、対物レンズ５３のレンズ面のうち、マーク３９からマイクロレンズ４１に向かう光の入射面５３ａと、出射面５３ｂとをそれぞれ前記光の進行方向と垂直な平面にて構成すればよい。なお、図４においては、上述した実施形態１と同様の部材については同様の符号を付している。
【００２３】
また、接眼レンズが移動レンズである場合がある。この場合も同様に、接眼レンズよりも接眼側に透明な接眼窓を設け、この接眼窓にマイクロレンズを形成し、接眼レンズのレンズ面のうち、マークからマイクロレンズに向かう光の光入射面と、光出射面とをそれぞれ前記光の進行方向と垂直な平面にて構成すればよい。このような構成にすることによって、上記実施形態と同様の効果を得ることができる。
【００２４】
なお、突起によりマークを形成する例で説明をしたが、溝によってマークを形成するようにしてもよいし、マーク形状の塗装を施すようにしてもよい。
【実施例２】
【００２５】
以下、本発明の実施例２について説明を行う。なお、以降の説明においては、上述した実施例１と同様の部材については同様の符号を付して説明を省略する。図５（Ａ）、（Ｂ）に示す、カメラ６１において、鏡筒４のほぼ真上には、ファインダ７１が設けられ、カメラ６１の前面からはファインダ７１の対物レンズ７３が露呈し、カメラ７１の背面からは、ファインダ７１の接眼レンズ７５が露呈している。また、カメラ７１の上面には、ファインダ光路に外光を採り入れるための採光窓７６が形成されている。
【００２６】
図６に示すように、ファインダ７１には、ファインダ光軸上に被写体側から順に、対物レンズ７３、変倍レンズ７７、接眼レンズ７５が設けられている。対物レンズ７３は、凹レンズであり、カメラボディに固定される。変倍レンズ７７は、ファインダ倍率を変更する凸型の移動レンズである。接眼レンズ７５は、凸レンズであり、採光窓７６の下方に配置され、カメラボディに固定される。
【００２７】
採光窓７６は、ファインダ光軸を略直交する方向から接眼レンズ７５へ向けて外光を入射させる。採光窓７６と接眼レンズ７５との間にはスリット７９が配置されている。スリット７９には、平面視円形の開口７９ａが設けられており、採光窓７６から入射した外光のうち円形のマーク形状の光を通過させる。
【００２８】
接眼レンズ７５の対物側レンズ面のほぼ中央部には、光反射部材としてマイクロプリズム８１が設けられている。マイクロプリズム８１は反射面８１ａを備え、採光窓７６から採り入れられ、スリット７９を透過したマーク形状の光は、この反射面８１ａに向けて入射するようになっている。反射面８１ａは、半透過型のミラーから構成され、対物レンズ７３から接眼レンズ７５へと向かう光を透過させて、スリット７９を透過したマーク形状の光を接眼側へ反射させる。
【００２９】
接眼レンズ７５の接眼側レンズ面のほぼ中央部には、凸型のマイクロレンズ８３が設けられている。マイクロレンズ８３は、マイクロプリズム８１からの光を集光し、ファインダ画面内で円形のマーク形状の光像を視認可能とする。この光像は、撮影範囲のほぼ中央部を示し、撮影者がフレーミングを行う際の目安として機能する。マイクロレンズ８３は、光像の視度を考慮して、その焦点がスリット７９の開口７９ａに一致するように形成される。
【００３０】
以下、上記構成による本発明の実施例２の作用について説明する。カメラ６１の使用時に、撮影者は、ファインダ７１をのぞき込んでフレーミングを行い、撮影範囲を決定する。このとき、採光窓７６から採り入れられ、スリット７９の開口７９ａを透過した円形のマーク形状の光が、マイクロプリズム８１によって反射された後、マイクロレンズ８３によって集光される。これにより、ファインダ画面内には、被写体像とともに円形のマーク形状の光像が観察される。マイクロレンズ８３は、その焦点が開口７９ａに一致するように形成されているので、光像が観察しやすい。この光像は撮影範囲の中央部分を示すものであり、撮影者は光像を目安にして、フレーミングを行うことができる。
【００３１】
撮影者が被写体に応じてズームレバー２１を操作すると、撮影レンズ１７のズーム倍率が変更される。これに伴い、変倍レンズ７７が移動され、ファインダ倍率が変更される。このとき、採光窓７６からの外光は、変倍レンズ７７を透過することなく光像として観察されるので、ファインダ倍率が変更されても光像の視度は一定に保たれる。
【００３２】
このように、ファインダ７１は、採光窓とスリット、及び、マイクロプリズムとマイクロレンズを、変倍レンズよりも接眼側に設け、外部光源からの光を、変倍レンズを透過させることなく、マーク形状の光像として観察可能とした。このため、変倍レンズが移動してもマークの視度が変化しないので、マークを観察しやすい。また、ファインダ光路内にマークを設ける場合と比較して、スリットとマイクロレンズとの光学的な距離を離すことが可能であり、屈折力の高いマイクロレンズ用いる必要が無く、コストが高くなってしまうこともない。さらに、マイクロプリズム及びマイクロレンズを接眼レンズに設けたので、部品点数の増加を抑え、コストを安くすることができる。
【００３３】
なお、上記実施例２では、対物側レンズ面から突出するようにマイクロプリズムが設けられた接眼レンズを用いる例で説明をしたが、本発明はこれに限定されるものではない。例えば、図７に示すような、接眼レンズ９５を用いてもよい。接眼レンズ９５は、対物側レンズ面の内側に反射面９６が形成されている。この場合、スリット７９を透過した、円形のマーク形状の光を、接眼レンズ９５の上部に形成された採光面９７から入射させる。そして、この光を、反射面９６によって、マイクロレンズ８３へ向けて反射させる。これにより、ファインダ画面内に、円形のマーク形状の光像が観察可能となる。このような構成にすることによって、接眼レンズの幅を抑え、ファインダの小型化や、移動レンズの移動幅を広げることができる。
【００３４】
また、上記実施例２では、スリットを透過した光を１回の反射によりマイクロレンズへ入射させる例で説明をしたが、スリットを透過した光を複数回反射させた後、マイクロレンズへ入射させるようにしてもよい。この場合、例えば、図８に示すように、採光面１０３と、複数の反射面１０５、１０７、１０９とが形成された接眼レンズ１１１を用いる。そして、スリット７９を透過した光を、採光面１０３より入射させ、反射面１０５、１０７、１０９により、接眼レンズ１１１の内部で複数回反射させた後、マイクロレンズ８３へ入射させる。このような構成にすることによって、スリットとマイクロレンズとの光学的な距離を、より離すことができる。
【００３５】
なお、上記実施例２では、接眼レンズが固定レンズである場合を例に説明をしたが、接眼レンズが移動レンズである場合がある。このような場合には、接眼レンズよりも接眼側に接眼窓を設け、この接眼窓に、スリットからの光を接眼側に反射させる反射面と、反射面からの光を集光するマイクロレンズを設けるようにすればよい。
【００３６】
また、上記実施例２では、スリットを透過した光を視認させる例で説明したが、スリットの代わりに、透明基盤を配置して、この透明基盤上に、突起や溝などによりマークを形成したり、マーク形状の塗装を施すようにしてもよい。このようにしても同様の効果を得ることができる。
【００３７】
なお、上記実施例２では、採光窓からファインダ光路に外光を採り入れる例で説明をしたが、本発明はこれに限定されるものではない。採光窓の代わりに例えば、ＬＥＤなどの光源を設け、このＬＥＤからの光をファインダ光路に採り入れるようにしてもよい。また、カメラには、ストロボチャージのパイロットランプや、オートフォーカスのパイロットランプなどの光源が設けられているが、このような光源からの光をファインダ光路内に採り入れるようにしてもよい。
【００３８】
また、上記実施例２では、スリットからの光をマイクロレンズにより集光して、ファインダ画面内で視認させるようにしたが、マイクロレンズを設けないといったことも考えられる。この場合、スリットからの光は集光されないままファインダの接眼側から出射するので、ファインダ画面内には、前述したマーク形状の光像の代わりに、ぼやけた明るいエリアが観察されることになる。
【００３９】
なお、上記実施例１及び実施例２においては、円形のマークを視認させる例で説明をしたが、視認させるマークの形状は自由に設定することができる。視認させるマークの形状としては、例えば、図９（Ａ）〜（Ｅ）に示すようなものが考えられる。
【００４０】
また、本発明は、ファインダを構成するレンズの組み合わせによって限定されるものではないので、上述したレンズの組み合わせ以外であっても、本発明は実施可能である。また、虚像式のファインダを用いて説明をしたが、実像式のファインダにも本発明を適用することができる。
【図面の簡単な説明】
【００４１】
【図１】カメラの外観斜視図である。
【図２】ファインダの斜視図である。
【図３】ファインダの断面図である。
【図４】対物窓にマークを設けたファインダの断面図である。
【図５】カメラの外観斜視図である。
【図６】ファインダの断面図である。
【図７】レンズ面の内側に反射面が形成され接眼レンズの断面図である。
【図８】複数の反射面が形成された接眼レンズの断面図である。
【図９】マークの形状を表す説明図である。
【符号の説明】
【００４２】
１１、６１    カメラ
１７    撮影レンズ
１９    鏡筒
２１    ズームレバー
３１、５１、７１    ファインダ
３３、５３、７３    対物レンズ
３５、７５、９５、１１１    接眼レンズ
３７、７７    変倍レンズ
３７ａ、３７ｂ    平面
３９  マーク
４１、８３    マイクロレンズ
５３ａ    入射面
５３ｂ    出射面
５５    対物窓
７６    採光窓
７９    スリット
７９ａ    開口
８１    マイクロプリズム
８１ａ、９６、１０５、１０７、１０９    反射面
【図１】
2006078690.tif 000003
【図２】
2006078690.tif 000004
【図３】
2006078690.tif 000005
【図４】
2006078690.tif 000006
【図５】
2006078690.tif 000007
【図６】
2006078690.tif 000008
【図７】
2006078690.tif 000009
【図８】
2006078690.tif 000010
【図９】
2006078690.tif 000011